(57)【要約】【課題】  １つのセンサーで用紙の角折れを検知することが可能な封入封緘機における用紙の角折れ検知装置を提供する。【解決手段】  用紙Ａの届先印字部を測定可能な位置に距離検出センサー１を設置し、距離検出センサー１は、搬送コンベア上の用紙Ａとの距離を常に測定する。比較手段２は、距離検出センサー１が検出した距離とあらかじめ設定した閾値とを比較し、距離が閾値以下となっている場合には、角が折れ曲がっているものと判断し、停止指示手段３がコンベア駆動手段４および通報手段５に停止を指示する旨の信号を送信する。【選択図】  図２
2006027785.tif 000002
【特許請求の範囲】
【請求項１】
届先に関する情報が印字された用紙を窓付き封筒に封入封緘する封入封緘機において、前記用紙が搬送される際に、前記用紙の角の折れ曲がりを検知する装置であって、
搬送される用紙の届先印字箇所との距離を測定可能なように設置した、用紙との距離を測定する距離検出センサーと、
前記距離検出センサーが検出した用紙との距離と、あらかじめ設定した閾値とを比較する比較手段と、
前記比較手段による比較の結果、所定の状態である場合に、前記用紙が折れ曲がっていると判断し、搬送手段による搬送を停止させるための信号を発信する停止指示手段と、
を有することを特徴とする封入封緘機における用紙の角折れ検知装置。
【請求項２】
前記所定の状態である場合とは、比較の結果、検出した距離が前記閾値より短い場合であることを特徴とする請求項１に記載の用紙の角折れ検知装置。
【請求項３】
前記停止指示手段からの信号は、用紙を搬送する搬送コンベアのコンベア駆動手段に送信されて、当該コンベア駆動手段が搬送コンベアの駆動を停止すると共に、通報手段に送信されて、作業者に通報を行うことを特徴とする請求項１または請求項２に記載の用紙の角折れ検知装置。
【発明の詳細な説明】
【技術分野】
【０００１】
本発明は、表面に宛先を印刷した帳票の角折れを検知するための装置に関する。
【背景技術】
【０００２】
従来より、郵送等により請求書等の送付を行うことが行われている。このような請求書の送付の際には、請求書の表面に宛名を印字し、窓付き封筒の窓から見える位置に、請求書に印字された宛名が来るようにして封入されるのが普通である。このような請求書への印字、請求書の折畳み、封筒への封入は、封入封緘機として自動化されている。
【０００３】
しかし、上記処理を機械により行うため、請求書の搬送の途中で角が折れ曲がってしまう等の不都合が生じる場合がある。角が折れ曲がっても、宛名・宛先の部分を隠さなければ問題はないが、宛名・宛先の部分が隠れるようであると、配達を行うことができない。また、住所や氏名が隠れていない場合であっても、郵便番号が隠れている場合は、郵便局による自動読取ができないため、不都合が生じる。このような問題に対応するため、角折れを検知することができる装置も提案されている（例えば、特許文献１参照）。
【特許文献１】特開平４−３５５０７１号公報
【発明の開示】
【発明が解決しようとする課題】
【０００４】
しかしながら、上記従来の技術では、センサーを２つ使用しているため、コストがかかると共に、一方が故障した場合には、もう一方が正常であっても検知することができなくなるという問題がある。
【０００５】
上記のような点に鑑み、本発明は、１つのセンサーで用紙の角折れを検知することが可能な封入封緘機における用紙の角折れ検知装置を提供することを課題とする。
【課題を解決するための手段】
【０００６】
上記課題を解決するため、本発明では、用紙の角折れ検知装置として、搬送される用紙の届先印字箇所との距離を測定可能なように設置した、用紙との距離を測定する距離検出センサーと、前記距離検出センサーが検出した用紙との距離と、あらかじめ設定した閾値とを比較する比較手段と、前記比較手段による比較の結果、距離が短い場合に、前記用紙が折れ曲がっていると判断し、搬送手段による搬送を停止させるための信号を発信する停止指示手段を有する構成としたことを特徴とする。
【発明の効果】
【０００７】
本発明によれば、用紙の届先が印字された部分を測定可能なように距離検出センサーを設置し、この距離検出センサーが検出した距離とあらかじめ設定した閾値との比較により、角の折れ曲がりを判断するようにしたので、１つのセンサーで用紙の角折れを検知することが可能となるという効果を奏する。
【発明を実施するための最良の形態】
【０００８】
以下、本発明の好適な実施形態について、図面を参照して詳細に説明する。
（封入封緘機）
まず、請求書等の用紙を加工して封入する封入封緘装置の全体について説明しておく。図１は、本発明に係る角折れ検知装置が用いられる封入封緘機の全体を示す概観図である。図１において、１０はカッター、２０は折り機、３０は検知部、４０は同封物フィーダー、５０は搬送コンベア、６０は封入台である。
【０００９】
印字済みの連続帳からカッター１０により切断された用紙Ａは、折り機２０により折り畳まれた後、搬送コンベア５０により搬送される。また、同封物フィーダー４０には、用紙Ａに同封する同封物が用意されており、用紙Ａと重ねた後、封入台６０において、封筒に封入される。
【００１０】
このような工程を有する封入封緘機において、搬送コンベア５０上の所定の箇所には、角折れ検知装置１０が設置されており、用紙Ａの角折れを検知している。角折れ検知装置１０が用紙Ａの角折れを検知すると、後述するコンベア駆動手段および通報手段に検知信号を送信する。コンベア駆動手段では、検知信号を受信すると、搬送コンベア５０の駆動を停止する。一方、通報手段では、検知信号を受信すると、ランプおよびブザーにより、用紙Ａの角折れを作業者に通報する。
【００１１】
（角折れ検知装置）
図２は、本発明に係る角折れ検知装置の構成を示す機能ブロック図である。図２において、１は距離検出センサー、２は比較手段、３は停止指示手段。４はコンベア駆動手段、５は通報手段、Ａは用紙である。距離検出センサー１は、レーザー光を発行する発光部と、反射光を受光する受講部とを有し、対象との距離を計測する機能を有している。このような距離検出センサーとしては従来周知のものを用いることができる。比較手段２は、予め設定された閾値と、距離検出センサー１から送信されてくる距離とを比較し、用紙に角折れが生じているかどうかを判断する機能を有している。角折れが生じている場合、折れて重なった部分は、他の部分より厚みが増すことになり、用紙と距離検出センサー１との距離は小さくなる。したがって、比較手段２には、あらかじめ用紙が折れ曲がっていない状態と折れ曲がっている状態で距離を測定し、両者の間を閾値と決定してその閾値を記録しておく。さらに、比較手段２には、その閾値より距離センサー１からの距離が大きい場合に、角折れが発生していると判断するよう設定しておく。
【００１２】
停止指示手段３は、比較手段２が、角折れが生じていると判断した場合に、その旨の信号をコンベア駆動手段４および通報手段５の双方に送信する機能を有している。コンベア駆動手段４は、搬送コンベア５０の一部を構成しており、実際に搬送コンベア５０を駆動させるものである。停止指示手段３から停止すべき旨の信号を受け取った場合には、駆動を停止することになる。通報手段５は、作業者に、角折れが生じた旨を実際に通報する機能を有している。具体的には、ブザー等の音声出力手段、ランプ等の光学的出力手段の双方もしくはどちらか一方により実現される。したがって、通報手段５は、停止指示手段３からの停止すべき旨の信号に基づき、音を鳴らし、ランプを点灯・点滅させることになる。
【００１３】
続いて、距離検出センサーの検知位置について説明する。図３に搬送コンベア５０上における距離センサーと検知される用紙Ａの位置関係を示す。図３は、本システムを天井方向から見た状態となっている。図３において、１は距離検出センサー本体、６は距離検出部、７は支持部材、８ａ、８ｂはガイドライン、９ａ、９ｂは搬送ガイド、Ａ１、Ａ２は用紙、Ｂ１、Ｂ２は届先印字部を示す。距離検出部６は、距離検出センサーのうち、発光部および受光部の機能のみを有した部分であり、支持部材７は、距離検出部６を支えるための部材である。図３中、左右方向の点線Ｌは、距離検出部６の検知対象位置を示す。距離検出部６は、このラインにおける用紙の厚みを計測するように設置されることになる。図３の例では、用紙Ａ１は折れ曲がっていないため、点線Ｌ上で厚みが変化することはなく、従って、距離検出センサーが計測した距離も、閾値以下となることはない。一方、用紙Ａ２は角が折れ曲がっているため、点線Ｌ上を計測したときに厚みが変化しており、距離検出センサーが計測した距離は閾値以上となる。このような場合、上述のように、比較手段２が、角折れが生じていると判断し、停止指示手段３から停止すべき旨の信号が送信され、コンベア駆動手段４が停止し、通報手段５は通報を行うことになる。用紙Ａ２はでは、角折れにより届先印字部Ｂ２が隠れており、このまま封筒に封入されると、封筒の窓から見ても届先がわからないということになる。本装置は、このような場合に、すばやく検知するために利用されるのである。
【００１４】
点線Ｌの位置を、届先印字部Ｂが通るようにするために、本実施形態では、搬送ガイド９を設けている。この搬送ガイド９は、搬送コンベア５０を分断する溝であるガイドライン８に沿って設けられている金属製の薄板である。図３においては、搬送ガイド９は、一組しか示していないが、実際には、所定の間隔で搬送コンベア５０の搬送方向に渡って複数組み設けられている。そのため、用紙Ａは、大きく位置がずれることなく、届先印字部Ｂが、距離検出部６の検知対象位置である点線Ｌ上を常に通ることになる。
【図面の簡単な説明】
【００１５】
【図１】本発明に係る角折れ検知装置が用いられる封入封緘機の全体を示す概観図である。
【図２】本発明に係る角折れ検知装置の構成を示す機能ブロック図である。
【図３】搬送コンベア５０上における距離センサーと検知される用紙Ａの位置関係を示す図である。
【符号の説明】
【００１６】
１・・・距離検出センサー
２・・・比較手段
３・・・停止指示手段
４・・・コンベア駆動手段
５・・・通報手段
６・・・距離検出部
７・・・支持部材
８・・・ガイドライン
９・・・搬送ガイド
１０・・・角折れ検知装置
２０・・・カッター
３０・・・折り機
４０・・・同封物フィーダー
５０・・・搬送コンベア
６０・・・封入台
Ａ・・・用紙
Ｂ・・・届先印字部
【図１】
2006027785.tif 000003
【図２】
2006027785.tif 000004
【図３】
2006027785.tif 000005